(57)【要約】【課題】本発明は、操作ツマミがいかなる回動位置にあっても操作スイッチを容易に操作することができる構造の簡単なテレビレンズの操作装置を提供する。【解決手段】フォーカスデマンド２８に設けられるオートフォーカスＯＮ／ＯＦＦスイッチ６８は、フォーカスデマンド２８の本体３２のフォーカスリング３４側の側面３３の周囲に多数配置される。また、これらのオートフォーカスＯＮ／ＯＦＦスイッチ６８、６８…は、フォーカスリング３４の回転中心Ｐを中心とした円周上に沿って等間隔に密に配置される。これにより、フォーカスリング３４がいかなる回動位置にあってもオートフォーカスＯＮ／ＯＦＦスイッチ６８を容易に操作することができる。また、オートフォーカスＯＮ／ＯＦＦスイッチ６８をを固定の本体３２側に設けたので、スリップリング等の伝送機構が不要になり構造も簡素化する。【選択図】  図３
2006295508.tif 000002
【特許請求の範囲】
【請求項１】
操作スイッチが設けられた本体と、該本体に回動自在に設けられた回動操作部材とからなるテレビレンズの操作装置において、
前記操作スイッチは、操作者が前記回動操作部材を保持した状態でどの位置でも操作可能な位置に配置されていることを特徴とするテレビレンズの操作装置。
【請求項２】
前記操作スイッチは、前記本体の外周面に沿って又は側面に沿って複数配置されていることを特徴とする請求項１に記載のテレビレンズの操作装置。
【請求項３】
前記操作スイッチは、前記本体の外周面に沿って又は側面に沿ってリング状に配置されていることを特徴とする請求項１に記載のテレビレンズの操作装置。
【請求項４】
前記操作スイッチは、前記回動操作部材の回動中心を中心とした円周上に沿って配置されていることを特徴とする請求項２又は３に記載のテレビレンズの操作装置。
【請求項５】
前記操作スイッチは、オートフォーカスＯＮ／ＯＦＦスイッチ、防振ＯＮ／ＯＦＦスイッチ又はリターンスイッチであり、前記回動操作部材はフォーカス調整用ツマミであることを特徴とする請求項１、２、３又は４のうちいずれか一つに記載のテレビレンズの操作装置。
【発明の詳細な説明】
【技術分野】
【０００１】
本発明はテレビレンズの操作装置に係り、特にオートフォーカスＯＮ／ＯＦＦスイッチとマニュアルでフォーカシングを行うフォーカスリングとを備えたフォーカスデマンド等のテレビレンズの操作装置に関する。
【背景技術】
【０００２】
放送用ハイビジョンカメラに使用されるレンズ装置には、高画質ハイビジョンに対応した緻密なフォーカシングを行うために、撮影用ＣＣＤとは別に撮影用ＣＣＤの結像位置と一致する位置を挟んで光軸方向対称位置にフォーカス検出用の２枚のＣＣＤを設け、その２枚のＣＣＤによって得られた像のコントラストが一致するようにフォーカスレンズの位置を制御するオートフォーカスシステムを搭載したテレビレンズ装置が知られている（特許文献１参照）。
【０００３】
このテレビレンズは、カメラマンによって手動操作されるフォーカスデマンドを有し、フォーカスデマンド本体に回動自在に設けられたフォーカスリングを回動操作することによりマニュアルでフォーカシングを行うことができる。また、フォーカスデマンド本体にはオートフォーカスＯＮ／ＯＦＦスイッチが設けられ、このオートフォーカスＯＮ／ＯＦＦスイッチをＯＮ操作することにより、前述したオートフォーカスシステムが駆動され、オートフォーカスが実行される。
【特許文献１】特開２００３−３３７２７８号公報
【発明の開示】
【発明が解決しようとする課題】
【０００４】
しかしながら、特許文献１に開示されたフォーカスデマンドでは、フォーカスリングを回動していくと、その手がオートフォーカスＯＮ／ＯＦＦスイッチから徐々に離れていくため、フォーカスリングを回動操作しながらオートフォーカスＯＮ／ＯＦＦスイッチを操作することができなくなるという欠点があった。
【０００５】
この場合には、操作中のフォーカスリングから手を一旦離して、スイッチ操作を行わなければならず、その時間的ロスにより撮影に支障をきたすという問題があった。また、オートフォーカスＯＮ／ＯＦＦスイッチのほか、フォーカスデマンド本体にエクステンダＯＮ／ＯＦＦスイッチ（撮影倍率を１倍、２倍に切り替えるスイッチ）が設けられたものでは、前記時間的ロスによりエクステンダレンズの切り替え（撮影倍率の切り替え）が遅れるため、瞬時に所望の画像を得ることができないという問題もあった。また、フォーカスデマンド本体に防振スイッチ、リターンスイッチが設けられたものも同様に、前記時間的ロスにより撮影に影響を与えていた。
【０００６】
このような不具合は、フォーカスデマンド本体に設けられていた操作スイッチを、フォーカスリング側に設ければ解消できる。しかしながら、フォーカスリングに操作スイッチを設けると、操作スイッチからの信号を、固定のフォーカスデマンド本体側に伝送するためにスリップリング等の伝送機構が必要になるので、構造が余計に複雑化するという問題があった。
【０００７】
本発明はこのような事情に鑑みてなされたもので、回動操作部材がいかなる回動位置にあっても回動操作部材を操作しながら操作スイッチを容易に操作することができる、構造の簡単なテレビレンズの操作装置を提供することを目的とする。
【課題を解決するための手段】
【０００８】
請求項１に記載の発明は、前記目的を達成するために、操作スイッチが設けられた本体と、該本体に回動自在に設けられた回動操作部材とからなるテレビレンズの操作装置において、前記操作スイッチは、操作者が前記回動操作部材を保持した状態でどの位置でも操作可能な位置に配置されていることを特徴としている。
【０００９】
請求項１によれば、操作者が回動操作部材を保持した状態でどの位置でも操作可能な位置に操作スイッチを配置したので、回動操作部材が如何なる回動位置にあっても、その際に操作し易い位置にある操作スイッチを操作すればよい。これにより、回動操作部材を操作しながら操作スイッチを容易に操作することができる。また、本発明は、操作スイッチを固定の本体側に設けたので、スリップリング等の伝送機構が不要になり構造も簡素化する。
【００１０】
請求項２に記載の発明は、請求項１において、前記操作スイッチは、前記本体の外周面に沿って又は側面に沿って複数配置されていることを特徴としている。
【００１１】
請求項３に記載の発明は、請求項１において、前記操作スイッチは、前記本体の外周面に沿って又は側面に沿ってリング状に配置されていることを特徴としている。
【００１２】
請求項２、３の如く操作スイッチを配置することにより、回動操作部材がいかなる回動位置にあっても回動操作部材を操作しながら操作スイッチを容易に操作することができる。
【００１３】
請求項４に記載の発明は、請求項２又は３において、前記操作スイッチは、前記操作ツマミの回動中心を中心とした円周上に沿って配置されていることを特徴としている。
【００１４】
請求項４によれば、操作ツマミの回動中心を中心とした円周上に沿って操作スイッチを配置したので、操作ツマミがいかなる回動位置にあっても、その際に操作する操作スイッチと操作ツマミとの距離が変わらないので、操作スイッチを極めて簡単に操作することができる。
【００１５】
請求項５に記載の発明は、請求項１、２、３又は４において、前記操作スイッチは、オートフォーカスＯＮ／ＯＦＦスイッチ、防振ＯＮ／ＯＦＦスイッチ又はリターンスイッチであり、前記回動操作部材はフォーカス調整用ツマミであることを特徴としている。
【００１６】
請求項５の如く、操作スイッチとしては、オートフォーカスＯＮ／ＯＦＦスイッチ、防振ＯＮ／ＯＦＦスイッチ又はリターンスイッチを例示でき、操作ツマミとしては、フォーカス調整用ツマミを例示できる。
【発明の効果】
【００１７】
以上説明したように本発明に係るテレビレンズの操作装置によれば、操作者が回動操作部材を保持した状態でどの位置でも操作可能な位置に操作スイッチを配置したので、回動操作部材が如何なる回動位置にあっても、回動操作部材を操作しながら操作スイッチを容易に操作することができる。また、本発明は、操作スイッチを固定の本体側に設けたので、スリップリング等の伝送機構が不要になり構造も簡素化する。
【発明を実施するための最良の形態】
【００１８】
以下添付図面に従って、本発明に係るテレビレンズの操作装置の好ましい実施の形態について詳説する。
【００１９】
図１は、実施の形態に係るテレビレンズの操作装置が適用されたテレビカメラ１０の斜視図である。同図に示すテレビカメラ１０は、レンズ装置１２とカメラ本体１４から構成され、このテレビカメラ１０は、ペデスタルドリー１６の上部に設置された雲台１８に、パン方向及びチルト方向に移動自在に支持される。雲台１８には、カメラマン（操作者）が両手で操作する２本のパン棒２２、２３が後方に向けて延設されている。パン棒２２の端部には、レンズ装置１２にケーブル２５を介して接続されたズームデマンド２６が取り付けられ、パン棒２３の端部には、レンズ装置１２にケーブル２７を介して接続されたフォーカスデマンド（テレビレンズの操作装置）２８が取り付けられる。
【００２０】
ズームデマンド２６には、基準位置から両方向に回動可能なサムリング３０が設けられている。サムリング３０がカメラマンにより回転操作されると、その基準位置からの操作量、すなわち回転方向及び回転量に応じたズーム指令信号がズームデマンド２６からレンズ装置１２に与えられ、レンズ装置１２のズームレンズがワイド側又はテレ側に移動される。これにより、ズーミングがマニュアル操作により実行される。
【００２１】
一方、パン棒２３に固定されるフォーカスデマンド２８の本体３２には、フォーカスリング（回動操作部材）３４が回動自在に設けられている。フォーカスリング３４がカメラマンにより回転操作されると、その操作量、すなわち回転方向及び回転量に応じたフォーカス指令信号がフォーカスデマンド２８からレンズ装置１２に与えられ、レンズ装置１２のフォーカスレンズが至近側又は無限遠側に移動される。これにより、フォーカシングがマニュアル操作により実行される。
【００２２】
図２は、テレビレンズの全体構成を示したブロック図である。
【００２３】
同図に示すレンズシステムにおいて、レンズ装置１２の撮影光学系には、フォーカスレンズ３６、ズームレンズ３８、アイリス４０、ワブリングレンズ４２等が配置され、撮影光学系に入射した被写体光は、カメラ本体１４の撮像素子面に結像される。
【００２４】
レンズ３６、３８、４２及びアイリス４０は、それぞれ対応するフォーカス用モータ４４、ズーム用モータ４６、ワブリング用モータ４８、アイリス用モータ５０によって駆動され、各モータ４４、４６、４８、５０は、それぞれレンズ装置１２に内蔵されたＣＰＵ５２からＤ／Ａ変換器５４を介して与えられる駆動信号に従ってそれぞれフォーカス用アンプ５６、ズーム用アンプ５８、ワブリング用アンプ６０、アイリス用アンプ６２によって駆動される。
【００２５】
一方、フォーカスデマンド２８とＣＰＵ５２とは、シリアルコミュニケーションインターフェース（ＳＣＩ）６４、６６を介して通信により各種信号のやり取りができるようになっており、例えば、フォーカスデマンド２８からＣＰＵ５２には、フォーカスリング３４の回動操作に基づくフォーカス指令信号、及びオートフォーカスＯＮ／ＯＦＦスイッチ（操作スイッチ）６８等のスイッチ情報が与えられる。
【００２６】
フォーカスリング３４の回転は、インクリメンタル型ロータリーエンコーダにより一定回転量ごとのパルス信号として検出され、そのパルス信号が、適宜リセットされるカウンタによりカウントされるようになっており、カウンタによりカウントされた値が、カウンタのリセット時におけるフォーカスレンズ３６の設定位置から、目標位置として指令するフォーカスレンズの設定位置までの移動量を示している。
【００２７】
ＣＰＵ５２は、フォーカスリング３４を回動操作するマニュアルフォーカス（ＭＦ）調整が有効となっている状態では、フォーカスデマンド２８から与えられるフォーカス指令信号に基づいてマニュアルフォーカスの処理を実行する。すなわち、フォーカスデマンド２８から与えられるフォーカス指令信号と、フォーカス用ポテンショメータ７０からＡ／Ｄ変換器７２を介して与えられるフォーカスレンズ３６の現在位置を示す位置信号とに基づいて、フォーカス用モータ４４を駆動する駆動信号をＤ／Ａ変換器５４を介してフォーカス用アンプ５６に与え、フォーカスレンズ３６をフォーカス指令信号によって指令された目標位置に移動させる。
【００２８】
また、ズームデマンド２６からＣＰＵ５２には、サムリング３０の回動量に応じたズームレンズ３８の移動速度（目標速度）を指令するズーム指令信号がＡ／Ｄ変換器７２を介して与えられる。ズームデマンド２６についてもフォーカスデマンド２８と同様に通信によりＣＰＵ５２と各種信号のやり取りを行えるようにしてもよい。ＣＰＵ５２は、ズームデマンド２６から与えられたズーム指令信号と、ズーム用ポテンショメータ７４からＡ／Ｄ変換器７２を介して与えられるズームレンズ３８の現在位置を示す位置信号とに基づいて、ズーム用モータ４６を駆動する駆動信号をＤ／Ａ変換器５４を介してズーム用アンプ５８に与え、ズームレンズ３８をズーム指令信号によって指令された目標速度で移動させる。
【００２９】
また、アイリス４０については、一般にカメラ本体１４からアイリス４０の設定位置（絞り値）を指令するアイリス指令信号がＣＰＵ５２に与えられ、ＣＰＵ５２は、アイリス４０の設定位置としてアイリス用モータ５０の回転位置をアイリス用ポテンショメータ７６により検出しながら、その指令信号により指令された絞り値となるようにアイリス用モータ５０を駆動する駆動信号をアイリス用アンプ６２に出力する。
【００３０】
ワブリングレンズ４２については、外部からの指令信号に基づいて駆動信号が出力されるのではなく、後述のオートフォーカス時のワブリングのための駆動信号がＣＰＵ５２からワブリング用アンブ６０に出力される。また、ワブリング用モータ４８はパルスモータであり、ワブリングレンズ４２の位置をフィードバックするためのポテンショメータは設置されていない。
【００３１】
ところで、ＣＰＵ５２は、マニュアルフォーカス処理の他に、オートフォーカスＯＮ／ＯＦＦスイッチ６８のＯＮ操作により、被写体の情報に基づいてフォーカスレンズ３６を合焦位置に自動で移動させるオートフォーカスの処理も実行する。
【００３２】
ここで、本レンズシステムにおいて、映像表示用の映像信号（輝度信号）をカメラ本体１４から取得し、その映像信号に基づいて合焦の程度を評価する焦点評価値を検出する焦点評価値検出回路７８が、レンズ装置１２に内蔵されている。なお、カメラ本体１４から取得される映像信号は、撮影光学系により結像された被写体像をカメラ本体１４の撮像素子により撮像して得られた例えばＮＴＳＣ方式の映像信号である。また、焦点評価値は、画像のコントラストの高低（鮮鋭度）を示す値であり、その検出方法はコントラスト方式のオートフォーカスにおいて従来から周知のものである。
【００３３】
焦点評価値検出回路７８によれば、カメラ本体１４から取得された映像信号は、まず、ハイパスフィルタ（ＨＰＦ）８０によって高周波成分のみが抽出されてＡ／Ｄ変換器８２によりデジタル信号に変換される。そして、デジタル信号に変換された高周波成分のうち、撮影範囲内に設定された所定のフォーカスエリア内のみの信号がゲート回路８４により抽出され、ゲート回路８４により抽出された高周波成分の信号が１フィールドごとに加算回路８６により積算される。加算回路８６の積算によって得られた信号は、フォーカスエリア内の被写体に対する合焦の程度（コントラストの高低）を示す焦点評価値としてＣＰＵ５２に読み取られる。
【００３４】
オートフォーカスの処理を実行する場合には、前記焦点評価値に基づいてフォーカス用モータ４４を駆動するための駆動信号がＣＰＵ５２によって生成され、マニュアルフォーカスの場合と同様にその駆動信号がフォーカス用アンプ５６に出力されてフォーカスレンズ３６が合焦位置に移動する。具体的には、ＣＰＵ５２は、ワブリング用モータ４８を駆動するための駆動信号をＤ／Ａ変換器５４を介してワブリング用アンプ６０に適宜出力し、ワブリングレンズ４２を光軸方向に前後動（ワブリング）させながら、加算回路８６から焦点評価値を１フィールドごとに取得する。これによって、撮影光学系の焦点位置が前後動し、フォーカスレンズ３６を現在の設定位置から前後動させた場合に等しい焦点評価値が検出される。ＣＰＵ５２は、そのワブリングの間に取得した焦点評価値に基づいて、フォーカスレンズ３６の現在位置において焦点評価値が極大か否かを判断する。焦点評価値が極大であれば合焦が得られており、フォーカスレンズ３６をその合焦位置で停止させる。一方、焦点評価値が極大でない場合には、ワブリングの間に取得した焦点評価値の大小関係から合焦位置が現在位置よりも無限方向にあるか至近方向にあるか、すなわち、焦点評価値が増加する方向を判断する。そして、フォーカス用アンプ５６に駆動信号を出力して、その判断した方向にフォーカスレンズ３６を移動させる。このようにワブリングレンズ４２のワブリングとフォーカスレンズ３６の移動を繰り返すことによってフォーカスレンズ３６が合焦位置に自動的に設定される。
【００３５】
ところで、フォーカスデマンド２８に設けられるオートフォーカスＯＮ／ＯＦＦスイッチ６８は、図３の如くフォーカスデマンド２８の本体３２のフォーカスリング３４側の側面３３の周囲に多数配置されている。また、これらのオートフォーカスＯＮ／ＯＦＦスイッチ６８、６８…は、フォーカスリング３４の回転中心Ｐを中心とした円周上に沿って等間隔に密に配置されている。
【００３６】
このように構成されたフォーカスデマンド２８によれば、本体３２の周囲に沿ってオートフォーカスＯＮ／ＯＦＦスイッチ６８、６８…を多数配置したので、フォーカスリング３４がどの回動位置にあっても、その際に操作し易い位置にあるオートフォーカスＯＮ／ＯＦＦスイッチ６８を操作すればよい。
【００３７】
これにより、フォーカスリング３４がいかなる回動位置にあってもオートフォーカスＯＮ／ＯＦＦスイッチ６８を容易に操作することができる。また、オートフォーカスＯＮ／ＯＦＦスイッチ６８を固定の本体３２側に設けたので、スリップリング等の伝送機構が不要になり構造も簡素化する。
【００３８】
図４は、他の実施の形態のフォーカスデマンド１２８が示されている。
【００３９】
このフォーカスデマンド１２８は、フォーカスリング３２に近接した本体３２の外周面３５に沿ってオートフォーカスＯＮ／ＯＦＦスイッチ６８、６８…が等間隔に密に配置されている。このフォーカスデマンド１２８においても、図３に示したフォーカスデマンド２８と同様の効果を得ることができる。
【００４０】
図５は、他の実施の形態のフォーカスデマンド２２８が示されている。
【００４１】
このフォーカスデマンド２２８は、本体３２の側面３３に、スプリング２３０を介して押圧リング２３２がスライド自在に支持されている。また、スプリング２３０の付勢力に抗して押圧リング２３２をカメラマンが押圧した際に、接片２３４が押圧リング２３２に押されてＯＮとなるオートフォーカスＯＮ／ＯＦＦスイッチ６８が本体３２に内蔵されている。押圧リング２３２は、フォーカスリング３４の回転中心Ｐを中心とした円周上に沿って配置され、本体３２に形成されたガイド溝２３６により回転中心Ｐに沿ってスライド自在に支持されている。
【００４２】
このように構成されたフォーカスデマンド２２８によれば、フォーカスリング３４がいかなる回動位置にあっても、フォーカスリング３４の周囲に位置する押圧リング２３２をスプリング２３０の付勢力に抗して押すだけで、オートフォーカスＯＮ／ＯＦＦスイッチ６８をＯＮ／ＯＦＦ操作することができる。また、オートフォーカスＯＮ／ＯＦＦスイッチ６８を固定の本体３２側に設けたので、スリップリング等の伝送機構が不要になり構造も簡素化する。図５のフォーカスデマンド２２８において、押圧リング２３２及び接片２３４もオートフォーカスＯＮ／ＯＦＦスイッチ６８の一部を実質上構成している。また、押圧リング２３２を本体３２の外周面に沿って配置してもよい。
【００４３】
図６は、他の実施の形態のフォーカスデマンド３２８が示されている。
【００４４】
このフォーカスデマンド３２８は、本体３２の側面３３に、リング状のオートフォーカスＯＮ／ＯＦＦスイッチ３６８が設けられている。オートフォーカスＯＮ／ＯＦＦスイッチ３６８は、リング状に構成されるとともに図７（Ａ）の如く側面３３から外方に突出する方向に付勢力を有するゴム製の押圧部３７０を有している。
【００４５】
押圧部３７０は、図６の如くフォーカスリング３４の回転中心Ｐを中心とした円周上に沿って配置され、また、その内周面には図７の如く導電板３７２が取り付けられている。更に、導電板３７２が押圧されることにより短絡する一対の金メッキ線３７４、３７４が絶縁体である側面３３に取り付けられている。この金メッキ線３７４、３７４は、リング状の押圧部３７０に沿って配設されるとともに、短絡することによりオートフォーカスＯＮ／ＯＦＦ信号を出力するＣＰＵ５２（図２参照）に接続されている。
【００４６】
このように構成されたフォーカスデマンド３２８によれば、フォーカスリング３４がいかなる回動位置にあっても、フォーカスリング３４の周囲に位置する押圧部３７０を押すだけで金メッキ線３７４、３７４が短絡するので、オートフォーカスＯＮ／ＯＦＦスイッチ３６８をＯＮ／ＯＦＦ操作することができる。また、オートフォーカスＯＮ／ＯＦＦスイッチ３６８を固定の本体３２側に設けたので、スリップリング等の伝送機構が不要になり構造も簡素化する。この押圧部３７０を本体３２の外周面に沿って配置してもよい。
【００４７】
図８、図９は、他の実施の形態のフォーカスデマンドに取り付けられるオートフォーカスＯＮ／ＯＦＦスイッチ４６８が示されている。
【００４８】
このオートフォーカスＯＮ／ＯＦＦスイッチは、図示していないがフォーカスデマンドの本体の側面に図６に示したオートフォーカスＯＮ／ＯＦＦスイッチ３６８の如く取り付けられている。図８に示すオートフォーカスＯＮ／ＯＦＦスイッチ４６８は、ゴム製のチューブによりリング状に構成された押圧部４７０と、押圧部の膨張変形によりＯＮ／ＯＦＦされるスイッチ４７２から構成されている。
【００４９】
押圧部４７０は、フォーカスリングの回転中心Ｐを中心とした円周上に沿って配置され、また、その内部には気体又は液体が充填されている。また、スイッチ４７２の接片４７４に対向する押圧部４７０の屈曲部には、押圧部４７０よりも薄肉で低圧力で膨縮変形する突部４７６が形成されている。この突部４７６は、押圧部４７０を図９の矢印の如く押圧することにより突出し、スイッチ４７２の接片４７４を押圧する。これにより、オートフォーカスＯＮ／ＯＦＦスイッチ４６８がＯＮ／ＯＦＦされる。
【００５０】
このように構成されたオートフォーカスＯＮ／ＯＦＦスイッチ４６８によれば、フォーカスリングがいかなる回動位置にあっても、フォーカスリングの周囲に位置する押圧部４７０を押すだけでスイッチ４７２の接片４７４を押圧することができる。また、オートフォーカスＯＮ／ＯＦＦスイッチ４６８を固定の本体側に設けたので、スリップリング等の伝送機構が不要になり構造も簡素化する。この押圧部４７０を本体３２の外周面に沿って配置してもよい。
【００５１】
なお、実施の形態では、操作スイッチとしてオートフォーカスＯＮ／ＯＦＦスイッチを例示したが、これに限定されるものではなく、防振ＯＮ／ＯＦＦスイッチ、リターンスイッチ又はエクステンダ切替スイッチでもよい。また、実施の形態では、テレビレンズの操作装置としてフォーカスデマンドを例示したが、上記のようなスイッチが配置されたものであれば、ズームデマンドでも適用できる。
【図面の簡単な説明】
【００５２】
【図１】実施の形態のテレビレンズの操作装置が適用されたテレビカメラの斜視図
【図２】図１に示したテレビカメラの全体構成を示したブロック図
【図３】フォーカスデマンドの側面図
【図４】フォーカスデマンドの他の実施の形態を示したフォーカスデマンドの側面図
【図５】フォーカスデマンドの他の実施の形態を示したフォーカスデマンドの要部断面図
【図６】フォーカスデマンドの他の実施の形態を示したフォーカスデマンドの斜視図
【図７】図６に示したフォーカスデマンドのオートフォーカスＯＮ／ＯＦＦスイッチの断面図
【図８】オートフォーカスＯＮ／ＯＦＦスイッチの他の実施の形態を示した斜視図
【図９】図８に示したオートフォーカスＯＮ／ＯＦＦスイッチの動作説明図
【符号の説明】
【００５３】
１０…テレビカメラ、１２…レンズ装置、１４…カメラ本体、２８…フォーカスデマンド、３２…本体、３４…フォーカスリング、５２…ＣＰＵ、６８…オートフォーカスＯＮ／ＯＦＦスイッチ、１２８…フォーカスデマンド、２２８…フォーカスデマンド、２３２…押圧リング、３２８…フォーカスデマンド、３６８…オートフォーカスＯＮ／ＯＦＦスイッチ、３７０…押圧部、３７２…導電板、３７４…金メッキ線、４６８…オートフォーカスＯＮ／ＯＦＦスイッチ、４７０…押圧部、４７２…スイッチ
【図１】
2006295508.tif 000003
【図２】
2006295508.tif 000004
【図３】
2006295508.tif 000005
【図４】
2006295508.tif 000006
【図５】
2006295508.tif 000007
【図６】
2006295508.tif 000008
【図７】
2006295508.tif 000009
【図８】
2006295508.tif 000010
【図９】
2006295508.tif 000011